(57)【要約】【課題】電子機器の落下を防止できるとともに、天板の下方に他の什器を配置した状態で配線の干渉を抑制することができるカート装置を提供する。【解決手段】カート装置１は、床面上を走行可能なベース部３ａと、ベース部３ａから上方に延びる支持体３ｂと、支持体３ｂに支持され、電子機器が載置可能な天板５ａと、天板５ａの上方において天板５ａの縁に沿って配置された落下防止部５ｄと、天板５ａに設けられ、天板５ａに載置された電子機器の配線を係合可能な係合部５ｂｋと、を備え、ベース部３ａ、支持体３ｂ及び天板５ａにより囲まれるように、他の什器Ｊが配置可能な什器配置空間Ｋ２が形成され、係合部５ｂｋは、什器配置空間Ｋ２の支持体３ｂ側の上方に配置されていることを特徴とする。【選択図】図２
2017012622.tif 000002
【特許請求の範囲】
【請求項１】
床面上を走行可能なベース部と、
前記ベース部から上方に延びる支持体と、
前記支持体に支持され、電子機器が載置可能な天板と、
前記天板の上方において前記天板の縁に沿って配置された落下防止部と、
前記天板に設けられ、前記天板に載置された前記電子機器の配線を係合可能な係合部と、を備え、
前記ベース部、前記支持体及び前記天板により囲まれるように、他の什器が配置可能な什器配置空間が形成され、
前記係合部は、前記什器配置空間の前記支持体側の上方に配置されていることを特徴とするカート装置。
【請求項２】
前記天板に設けられ、前記落下防止部を支持する支持部をさらに備え、
前記係合部は、前記支持部に設けられていることを特徴とする請求項１に記載のカート装置。
【請求項３】
前記天板、前記落下防止部及び前記支持部により囲まれるように、配線が挿通可能な配線挿通空間が形成され、
前記係合部は、前記配線挿通空間に連通するように、前記支持体に形成されていることを特徴とする請求項２に記載のカート装置。
【請求項４】
前記係合部は、
前記支持部に形成され、平面視前記天板の内側から外側に向かって貫通する貫通部と、
前記貫通部の前記配線挿通空間側で、前記支持部から前記貫通部を閉塞する向きに延びる抜け止め部と、を有することを特徴とする請求項３に記載のカート装置。
【発明の詳細な説明】
【技術分野】
【０００１】
本発明は、カート装置に関するものである。
【背景技術】
【０００２】
一般に、オフィスや病院等の公共施設には、執務、介護、看護等の作業を効率的に行うために、作業用の天板が設けられた什器が設置されている。また、作業者は、必要に応じて、様々な場所に移動して作業を行うため、什器の下部にキャスタ等の移動手段が設けられたものが知られている。
【０００３】
また、近年、パーソナルコンピューター等の電子機器の普及にともない、これらの什器の天板上に電子機器を載置して作業をすることが多くなってきている。そこで、天板上に載置された電子機器が天板から落下しないように、天板の上方に、天板の縁に沿ってパイプ状の部材、柵、ワイヤー部材等の落下防止部座が設けられた移動式什器が提案されている（下記の特許文献１，２，３参照）。これにより、什器を移動させても、移動の際の振動等により、電子機器が天板から落下することがない。
【０００４】
また、一のテーブルの周りに、複数の作業者が各自の移動式什器を移動させて集まるミーティング等の場合には、各作業者が什器の天板を、テーブルの天板の上方に、平面視で重ね合わせるように配置することがある。このような形態をとることで、作業者が、テーブルの中心寄りに集まることができる。
【先行技術文献】
【特許文献】
【０００５】
【特許文献１】特開２０１４−１８３８２号公報
【特許文献２】特開２０１３−２２６２００号公報
【特許文献３】特開２０１４−１４４５３号公報
【発明の概要】
【発明が解決しようとする課題】
【０００６】
しかしながら、上記のようにテーブル等の他の什器の天板の上方に、移動式什器の天板を配置した状態では、移動式什器の天板上に載置された電子機器の配線ケーブルが、天板から垂下して、他の什器の天板に引っかかりってしまうことがある。これにより、電子機器が引っ張られて、電子機器が破損または落下したり、什器が転倒してしまったりする可能性がある。
【０００７】
本発明は、上記事情に鑑みてなされたものであり、電子機器の落下を防止できるとともに、天板の下方に他の什器を配置した状態で配線の干渉を抑制することができるカート装置を提供するものである。
【課題を解決するための手段】
【０００８】
上記目的を達成するために、本発明は以下の手段を採用している。
すなわち、本発明に係るカート装置は、床面上を走行可能なベース部と、前記ベース部から上方に延びる支持体と、前記支持体に支持され、電子機器が載置可能な天板と、前記天板の上方において前記天板の縁に沿って配置された落下防止部と、前記天板に設けられ、前記天板に載置された前記電子機器の配線を係合可能な係合部と、を備え、前記ベース部、前記支持体及び前記天板により囲まれるように、他の什器が配置可能な什器配置空間が形成され、前記係合部は、前記什器配置空間の前記支持体側の上方に配置されていることを特徴とする。
【０００９】
このように構成されたカート装置では、天板の上方において天板の縁に沿って配置された落下防止部により、天板上に載置された電子機器の落下が防止される。
また、床面上を走行可能なベース部、ベース部から上方に延びる支持体及び支持体に支持された天板により囲まれるように、他の什器が配置可能な什器配置空間が形成されている。天板上に載置された電子機器の配線を係合可能な係合部は、什器配置空間の支持体側の上方に配置されている。よって、什器配置空間に他の什器を配置した状態で、配線は、天板に設けられた係合部に係合され、下方に垂下して、什器配置空間において支持体に沿って下方に延びる。よって、什器配置空間に配置された他の什器の天板等の部材との干渉が抑制される。
【００１０】
また、本発明に係るカート装置は、前記天板に設けられ、前記落下防止部を支持する支持部をさらに備え、前記係合部は、前記支持部に設けられていることが好ましい。
【００１１】
このように構成されたカート装置では、天板に設けられた支持部が電子機器の落下を防止する落下防止部を支持するとともに、当該支持部には電子機器の配線と係合可能な係合部が設けられている。よって、係合部を支持部とは別に設けるよりも、係合部を支持部の一部とすることで、コンパクトな構成とすることができるとともに、部品点数を抑えることができる。
【００１２】
また、本発明に係るカート装置は、前記天板、前記落下防止部及び前記支持部により囲まれるように、配線が挿通可能な配線挿通空間が形成され、前記係合部は、前記配線挿通空間に連通するように、前記支持体に形成されているようにしてもよい。
【００１３】
このように構成されたカート装置では、天板、落下防止部及び支持部により囲まれるように、配線が挿通可能な配線挿通空間が形成されている。よって、天板の平面視における内側から外側に向かうように配線挿通空間を挿通させた配線を、配線挿通空間に連通するように支持部に形成された係合部に係合させることができるため、配線を係合部に容易な作業で係合させることができる。
また、配線挿通空間に挿通された配線が障害物等に接触して引っ張られた際には、配線に接続された電子機器が落下防止部側に移動し、落下防止部により電子機器の落下が抑制される。
【００１４】
また、本発明に係るカート装置は、前記係合部は、前記支持部に形成され、平面視前記天板の内側から外側に向かって貫通する貫通部と、前記貫通部の前記配線挿通空間側で、前記支持部から前記貫通部を閉塞する向きに延びる抜け止め部と、を有するようにしてもよい。
【００１５】
このように構成されたカート装置では、支持部には天板の平面視における内側から外側に向かって貫通する貫通部が形成され、貫通部の配線挿通空間側には支持部から貫通部を閉塞する向きに延びる抜け止め部が設けられている。よって、貫通部に配線を挿通させると、抜け止め部で配線の移動が規制されるため、配線は係合部に確実に係合される。
【発明の効果】
【００１６】
本発明に係るカート装置によれば、電子機器の落下を防止できるとともに、天板の下方に他の什器を配設した状態で配線の干渉を抑制することができる。
【図面の簡単な説明】
【００１７】
【図１】本発明の一実施形態に係るカート装置の斜視図である。
【図２】本発明の一実施形態に係るカート装置の側面図である。
【図３】本発明の一実施形態に係るカート装置の天板に電子機器を載置した状態の天板の斜視図である。
【図４】図２の天板周辺を拡大した側面図である。
【図５】本発明の一実施形態に係るカート装置の係合部の拡大側面図である。
【図６】本発明の一実施形態の変形例１に係るカート装置の係合部の拡大斜視図である。
【図７】本発明の一実施形態の変形例２に係るカート装置の係合部の拡大斜視図である。
【発明を実施するための形態】
【００１８】
以下、図面を参照して、本発明に係るカート装置の一実施形態について説明する。なお、以下の図面において、各部材を認識可能な大きさとするために、各部材の縮尺を適宜変更している。
【００１９】
図１は、本発明の一実施形態に係るカート装置の斜視図である。図２は、本発明の一実施形態に係るカート装置の側面図である。
なお、以下の説明においては、利用者がハンドル５ｅを把持してカート装置１と対向する側を後側とし、ハンドル５ｅを押してカート装置１を進行させる側を前側とする。これら後側と前側とを結ぶ方向を前後方向又は奥行方向とする。また、前後方向と直交する水平方向を幅方向とする。
【００２０】
カート装置１は、オフィスや病院において、書類ファイルや薬瓶等の物品を載置して搬送する什器であり、図１及び図２に示すように、床面に設置されるカート本体３と、カート本体３に支持されたトレイ２及び天板ユニット５とを備えている。
【００２１】
（カート本体）
カート本体３は、脚部（ベース部）３ａと、支持基体（支持体）３ｂと、昇降操作部３ｄと、を備えている。脚部３ａは、４本の直線状の脚杆３ａ１と、これらの脚杆３ａ１の根元が接続されるベース部３ａ２と、各々の脚杆３ａ１の先端部に取り付けられるキャスタ３ａ３と、キャスタ３ａ３をロックするロック部３ａ４とを備えている。このような脚部３ａのキャスタ３ａ３が床面に当接した状態で転動することにより、カート装置１が走行可能とされている。また、ロック部３ａ４によりキャスタ３ａ３をロックすることによって、カート装置１の移動が規制される。
【００２２】
支持基体３ｂは、外側支柱ユニット３ｂ１と、内側支柱ユニット３ｂ２とを有している。外側支柱ユニット３ｂ１は、脚部３ａのベース部３ａ２上に立設される中空状をなしている。外側支柱ユニット３ｂ１の外周面には、鉛直方向に一定ピッチにて不図示の係止孔が形成されている。これらの係止孔は、後述する支持機構４が挿入される箇所である。
【００２３】
内側支柱ユニット３ｂ２は、上端が天板ユニット５に固定された中空状をなしている。内側支柱ユニット３ｂ２は、外側支柱ユニット３ｂ１の内部に、鉛直方向に移動可能に挿通されている。内側支柱ユニット３ｂ２が外側支柱ユニット３ｂ１から上方に大きく突出されている場合には、全体として支持基体３ｂが伸びた状態とされ、天板ユニット５が高い位置（図２に示す実線の位置）に配置される。一方、内側支柱ユニット３ｂ２の多くが外側支柱ユニット３ｂ１に収容されている場合には、全体として支持基体３ｂが縮んだ状態とされ、天板ユニット５が低い位置（図２に示す二点鎖線の位置）に配置される。
【００２４】
昇降操作部３ｄは、操作レバー３ｄ１と、不図示のロック機構とを備えている。操作レバー３ｄ１は、ハンドル５ｅの下方に配置されており、操作することによってロック機構による内側支柱ユニット３ｂ２のロックを解除する。ロック機構は、内側支柱ユニット３ｂ２を外側支柱ユニット３ｂ１に対して固定するものであり、操作レバー３ｄ１が操作された場合のみ当該ロックを解除する。このような昇降操作部３ｄによって、任意の高さに天板ユニット５を配置することができる。
【００２５】
（トレイ）
本実施形態では、トレイ２は、鉛直方向に離間して２個設置されている。上側のトレイ２と下側のトレイ２とでは、前後反転に設置されている。各トレイ２は、底板２ａと、底板２ａの縁部に立設される周壁部２ｂとを備えている。
【００２６】
底板２ａは、上面が平坦な物品載置面とされており、載置された物品を下方から支持する板状の部位である。本実施形態では、底板２ａは、奥行方向が短く幅方向が長い略長方形状とされている。
【００２７】
周壁部２ｂは、底板２ａを囲むように底板２ａの縁部に立設された壁部である。周壁部２ｂは、底板２ａの一方の長辺（奥行方向の一方の辺）から立設する正面壁２ｄと、底板２ａの他方の長辺から立設する背面壁２ｅと、底板２ａの短辺（幅方向の一方側の辺）から立設する第１側壁２ｆと、底板２ａの短辺（幅方向の他方側の辺）から立設する第２側壁２ｇとを有している。
【００２８】
正面壁２ｄは、背面壁２ｅよりも鉛直方向の寸法が低く設定されている。つまり、背面壁２ｅは、正面壁２ｄよりも鉛直方向の寸法が高く設定されている。これによって、正面壁２ｄの上端は、背面壁２ｅの上端よりも低い位置とされている。また、第１側壁２ｆは、正面壁２ｄの幅方向の一方側の端部と背面壁２ｅの幅方向の一方側の端部とに接続されている。また、第２側壁２ｇは、正面壁２ｄの幅方向の他方側の端部と背面壁２ｅの幅方向の他方側の端部とに接続されている。
【００２９】
第１側壁２ｆは、正面側部２ｆ１と、背面側部２ｆ２と、中間部２ｆ３とを有している。正面側部２ｆ１は、正面壁２ｄに接続されると共に正面壁２ｄと同一高さとされた部位である。背面側部２ｆ２は、背面壁２ｅに接続されると共に背面壁２ｅと同一高さとされた部位である。中間部２ｆ３は、正面側部２ｆ１と背面側部２ｆ２との間に配置されると共に上端が正面側部２ｆ１の上端と背面側部２ｆ２の上端とを直線状に接続するように傾斜された部位である。
【００３０】
第２側壁２ｇは、正面側部２ｇ１と、背面側部２ｇ２と、中間部２ｇ３とを有している。正面側部２ｇ１は、正面壁２ｄに接続されると共に正面壁２ｄと同一高さとされた部位である。背面側部２ｇ２は、背面壁２ｅに接続されると共に背面壁２ｅと同一高さとされた部位である。中間部２ｇ３は、正面側部２ｇ１と背面側部２ｇ２との間に配置されると共に上端が正面側部２ｇ１の上端と背面側部２ｇ２の上端とを直線状に接続するように傾斜された部位である。なお、第１側壁２ｆの中間部２ｆ３と、第２側壁２ｇの中間部２ｇ３とは、奥行方向において、同一箇所に設けられている。
【００３１】
この周壁部２ｂを有するトレイ２では、正面壁２ｄ側にて周壁部２ｂの高さが低く、背面壁２ｅ側にて周壁部２ｂの高さが高い形状となっている。周壁部２ｂに囲まれた領域が、物品の収容領域となっている。このため、トレイ２の収容領域の正面壁２ｄ側は、周壁部２ｂが低いことから、物品の出し入れがし易く、目視がし易い領域となることから、例えば小さな物品を収容するのに適した領域となっている。一方で、トレイ２の収容領域の背面壁２ｅ側は、周壁部２ｂが高いことから、背丈の高い物品がカート装置１の走行振動等によって傾いても周壁部２ｂで支えることができ、例えば背丈の高い物品を安定して収容するのに適した領域となっている。
【００３２】
このようなトレイ２は、それぞれ支持機構４を介して支持基体３ｂに装着されている。支持機構４は、ベース部４ｃと、ブラケット部４ｇとを備えている。ベース部４ｃは、トレイ２の底板２ａに着脱可能に装着される。ブラケット部４ｇは、カート本体３の支持基体３ｂに固定される。ブラケット部４ｇには、不図示の係止爪が形成されている。係止爪は、支持基体３ｂの外側支柱ユニット３ｂ１の係止孔に係止可能とされている。これによってブラケット部４ｇ（すなわちトレイ支持機構４）がカート本体３に対して固定される。また、カート本体３に対して固定されたブラケット部４ｇ（すなわちトレイ支持機構４）は、カート本体３に対して持ち上げることによって係止爪の係止が解除され、カート本体３から取り外すことができる。
【００３３】
（天板ユニット）
図３は、本発明の一実施形態に係るカート装置の天板に電子機器を載置した状態の天板の斜視図である。
図３に示すように、天板ユニット５は、天板５ａと、側部固定体（支持部）５ｂと、前部固定体５ｃと、落下防止バー（落下防止部）５ｄと、ハンドル５ｅとを備えている。
【００３４】
天板５ａは、上面５Ｔが電子機器Ｄ等の物品が載置可能な物品載置面とされた略矩形状の板部材であり、内側支柱ユニット３ｂ２の上端に固定されている。
【００３５】
図４は、図２の天板周辺を拡大した側面図である。図５は、本発明の一実施形態に係るカート装置の係合部の拡大側面図である。
図４、図５に示すように、側部固定体５ｂは、天板５ａの上面５Ｔに設けられている。側部固定体５ｂは、天板５ａの幅方向両側にそれぞれ沿って設けられている。また、側部固定体５ｂは、前後方向の中央よりもわずかに前側に設けられている。側部固定体５ｂは、例えば樹脂等の弾性変形可能な材料で構成されていてもよい。
【００３６】
図５に示すように、側部固定体５ｂは、上壁部５ｂ０と、バー支持壁部５ｂ１と、底部５ｂ２と、抜け止め壁部（抜け止め部）５ｂ３と、前壁部５ｂ４と、傾斜壁部５ｂ５とを有している。
【００３７】
バー支持壁部５ｂ１は、側部固定体５ｂの上壁部５ｂ０の前端部から下方に向かうにしたがって次第に後方に向かうように形成されている。バー支持壁部５ｂ１には、前後方向に延びる穴５Ｈが形成されている。穴５Ｈには、落下防止バー５ｄの先端部が挿通され、固定されている。
【００３８】
底部５ｂ２は、バー支持壁部５ｂ１に連続して、水平面に沿って形成されている。バー支持壁部５ｂ１と底部５ｂ２との間には、鋭角をなすとともに湾曲形成された湾曲部５ｂ６が形成されている。
【００３９】
抜け止め壁部５ｂ３は、底部５ｂ２の前端部から上方に向かうにしたがって次第に前方に向かうように形成されている。底部５ｂ２と抜け止め壁部５ｂ３との間には、鈍角をなすとともに湾曲形成された湾曲部５ｂ７が形成されている。
【００４０】
前壁部５ｂ４は、抜け止め壁部５ｂ３に連続して下方に向かって延び、天板５ａの上面５Ｔに接続されている。前壁部５ｂ４は、天板５ａの上面５Ｔと略直角をなすように形成されている。抜け止め壁部５ｂ３と前壁部５ｂ４とにより、先細りに突出し先端部が湾曲した湾曲部５ｂ８が形成されている。
【００４１】
傾斜壁部５ｂ５は、側部固定体５ｂの上壁部５ｂ０の後端部から下方に向かうにしたがって次第に後方に向かうように形成されている。傾斜壁部５ｂ５は、バー支持壁部５ｂ１と略平行に配置されている。
【００４２】
バー支持壁部５ｂ１、湾曲部５ｂ６、底部５ｂ２及び湾曲部５ｂ７は、側部固定体５ｂを天板５ａの幅方向に貫通する貫通部５ｂａを構成している。この貫通部５ｂａに対して、抜け止め壁部５ｂ３は、底部５ｂ２の前端部から上方に向かうにしたがって次第に前方に向かって、つまり貫通部５ｂａを閉塞する向きに延びている。また、この貫通部５ｂａと、抜け止め壁部５ｂ３とにより、天板５ａ上に載置された電子機器Ｄ（図３参照。以下同じ。）の配線ケーブル（配線）Ｈを係合可能な係合部５ｂｋが構成されている。係合部５ｂｋは、前方且つ上方に向かって開口している。
【００４３】
図３に示すように、前部固定体５ｃは、天板５ａの幅方向の略中央且つ前端部に設けられている。前部固定体５ｃは、基部５ｃ１と、前延出壁部５ｃ２と、対向壁部５ｃ３と、上向き壁部５ｃ４と、バー支持壁部５ｃ５とを有している。
【００４４】
基部５ｃ１は、天板５ａの幅方向の略中央且つ前端部から後方に向かって形成された凹部５Ｐに設けられている。前延出壁部５ｃ２は、基部５ｃ１の幅方向両側からそれぞれ前方に向かって延びている。対向壁部５ｃ３は、各前延出壁部５ｃ２の前端部から対向する前延出壁部５ｃ２に向かって延びている。上向き壁部５ｃ４は、基部５ｃ１から上方に向かって延びている。バー支持壁部５ｃ５は、上向き壁部５ｃ４の幅方向両端部にそれぞれ形成されている。各バー支持壁部５ｃ５は、天板５ａの幅方向外側を向くように形成されている。
【００４５】
各バー支持壁部５ｃ５には、天板５ａの幅方向に延びる不図示の穴が形成されている。穴には、落下防止バー５ｄの先端部が挿通され、固定されている。
【００４６】
一対の対向壁部５ｃ３の先端部同士の間には、隙間Ｓ１が形成されている。また、前部固定体５ｃの基部５ｃ１、一対の前延出壁部５ｃ２及び一対の対向壁部５ｃ３により、配線ケーブルＨを収容可能な配線収容空間Ｓ２が形成されている。
【００４７】
落下防止バー５ｄは、天板５ａの前側の上方において、天板５ａの縁に沿って配置されている。落下防止バー５ｄは、各側部固定体５ｂと前部固定体５ｃとの間に配置された一対の落下防止バー本体５ｄ１を有している。
【００４８】
各落下防止バー本体５ｄ１は、一端が側部固定体５ｂのバー支持壁部５ｂ１に固定され、他端が前部固定体５ｃのバー支持壁部５ｃ５に固定されている。落下防止バー本体５ｄ１の中間部５ｄ２は、天板５ａの角部に沿って屈曲している。
【００４９】
この落下防止バー５ｄは、例えばカート装置１が走行状態から停止したときに天板５ａ上に載置された電子機器Ｄ等の物品が天板５ａ上を滑って天板５ａの前側から落下することを防止する。
【００５０】
また、天板５ａ、落下防止バー５ｄ、側部固定体５ｂ及び前部固定体５ｃにより囲まれた空間は、配線ケーブルＨが挿通可能な配線挿通空間Ｋ１とされている。側部固定体５ｂにおいて、係合部５ｂｋは配線挿通空間Ｋ１に連通するように、配線挿通空間Ｋ１側に形成されている。
【００５１】
配線ケーブルＨは、天板５ａの前側では、配線挿通空間Ｋ１を前後方向に挿通される。配線ケーブルＨは、天板５ａの幅方向端部側では、配線挿通空間Ｋ１を天板５ａの幅方向に挿通される。
【００５２】
ハンドル５ｅは、天板５ａの後側の縁部からさらに後方に向けて突出して設けられている。このハンドル５ｅは、カート装置１を走行させるときに、作業者が把持する部位である。
【００５３】
また、天板５ａの下面には、不図示のアダプター等の物品を収容可能な物品収容部５ｆが設けられている。物品収容部５ｆは、底板５ｆ1と、底板５ｆ１の前端部から立ち上がる前板５ｆ２と、底板５ｆ１の幅方向両端部からそれぞれ立ち上がる側板５ｆ３とを有している。
【００５４】
側板５ｆ３には、配線ケーブルＨを係合可能なフック５ｆ４が設けられている。また、側板５ｆ３の後部には、上端部から下方に凹む凹部５ｆ５が形成されている。凹部５ｆ５は、側板５ｆ３を板厚方向（天板５ａの幅方向）に貫通するように形成されている。物品収容部５ｆの後部は、物品の出し入れが可能なように開口している。
【００５５】
上記のカート装置１において、図５に示すように、利用者は、配線ケーブルＨを、配線挿通空間Ｋ１から、落下防止バー５ｄと湾曲部５ｂ８との間の隙間を通過させ、係合部５ｂｋに移動させる。この際に、配線ケーブルＨが側部固定体５ｂの湾曲部５ｂ８等を接触すると、弾性変形可能な材料で構成された側部固定体５ｂが弾性変形して、落下防止バー５ｄと湾曲部５ｂ８との間の隙間が大きくなり通過しやすくなる。そして、配線ケーブルＨが落下防止バー５ｄと湾曲部５ｂ８との間の隙間を通過して、係合部５ｂｋ内に配置される。あるいは、落下防止バー５ｄと湾曲部５ｂ８との間の隙間を通過させずに、係合部５ｂｋ内を、天板５ａの平面視における内側から外側に向かって（天板５ａの幅方向に）直接通過させて、配線ケーブルＨを配置させてもよい。
【００５６】
図４に示すように、係合部５ｂｋに係合された配線ケーブルＨは、天板５ａの下面に設けられた物品収容部５ｆの側板５ｆ３の凹部５ｆ５から物品収容部５ｆ内に配置される。配線ケーブルＨに接続された不図示のアダプター等は、物品収容部５ｆ内に収容される。また、配線ケーブルＨのうち余長部分は、物品収容部５ｆの後部の開口から取り出されて、物品収容部５ｆの側板５ｆ３に設けられたフック５ｆ４に巻回される。
【００５７】
配線ケーブルＨを不図示の電源に接続する際には、天板５ａ上の電子機器Ｄに接続され係合部５ｂｋに係合された配線ケーブルＨを、カート装置１の下方に垂らして電源に接続する。または、アダプターに接続された配線ケーブルＨを、物品収容部５ｆの後部の開口から取り出してカート装置１の下方に垂らして電源に接続する。
【００５８】
係合部５ｂｋ及び物品収容部５ｆの後部の開口は、支持基体３ｂの上部前方に配置されているため、配線ケーブルＨは、支持基体３ｂの前側に沿って下方に垂下する。
【００５９】
また、図２、図４に示すように、上記のカート装置１において、脚部３ａ、支持基体３ｂ及び天板５ａに囲まれるように、他の什器Ｊが配置可能な什器配置空間Ｋ２が形成されている。このため、複数の利用者が、各カート装置１を移動させて、ミーティングテーブル等の他の什器Ｊの周りに集まる際には、什器配置空間Ｋ２に他の什器Ｊの天板Ｊ１を配置することができる。
【００６０】
このように、什器配置空間Ｋ２に他の什器Ｊの天板Ｊ１が配置された状態において、側部固定体５ｂの係合部５ｂｋは、什器配置空間Ｋ２の支持基体３ｂ側の上方、つまり他の什器Ｊの天板Ｊ１の後端部ＪＴの上方に配置されている。このため、電源に接続された配線ケーブルＨは、支持基体３ｂの前側と他の什器Ｊの天板Ｊ１の後端部ＪＴとの間を通過して下方に垂下する。
【００６１】
図３に示すように、利用者は、配線ケーブルＨを、前部固定体５ｃにおいて、一対の対向壁部５ｃ３の先端部同士の間に形成された隙間Ｓ１を通過させることもできる。そして、前部固定体５ｃの基部５ｃ１、一対の前延出壁部５ｃ２及び一対の対向壁部５ｃ３により形成された配線収容空間Ｓ２に、配線ケーブルＨを上下方向に向けて収容することもできる。
【００６２】
このように構成されたカート装置１では、天板５ａの上方において天板５ａの縁に沿って配置された落下防止バー５ｄにより、天板５ａ上に載置された電子機器Ｄの落下が防止される。
また、床面上を走行可能な脚部３ａ、脚部３ａから上方に延びる支持基体３ｂ及び支持基体３ｂに支持された天板５ａにより囲まれるように、他の什器Ｊが配置可能な什器配置空間Ｋ２が形成されている。天板５ａ上に載置された電子機器Ｄの配線ケーブルＨを係合可能な係合部５ｂｋは、什器配置空間Ｋ２の支持基体３ｂ側の上方に配置されている。よって、什器配置空間Ｋ２に他の什器Ｊを配置した状態で、配線ケーブルＨは、天板５ａに設けられた係合部５ｂｋに係合され、下方に垂下して、什器配置空間Ｋ２において支持基体３ｂに沿って下方に延びる。よって、什器配置空間Ｋ２に配置された他の什器Ｊの天板５ａ等の部材との干渉が抑制されるため、配線ケーブルＨと他の什器Ｊの部材とが引っかかりカート装置１が転倒したり、電子機器Ｄが損傷したりすることがない。
【００６３】
また、天板５ａに設けられた側部固定体５ｂが電子機器Ｄの落下を防止する落下防止バー５ｄを支持するとともに、当該側部固定体５ｂには電子機器Ｄの配線ケーブルＨと係合可能な係合部５ｂｋが設けられている。よって、係合部５ｂｋを側部固定体５ｂとは別に設けるよりも、係合部５ｂｋを側部固定体５ｂの一部とすることで、コンパクトな構成とすることができるとともに、部品点数を抑えることができる。
【００６４】
また、天板５ａ、落下防止バー５ｄ及び側部固定体５ｂにより囲まれるように、配線ケーブルＨが挿通可能な配線挿通空間Ｋ１が形成されている。よって、天板５ａの平面視における内側から外側に向かうように配線挿通空間Ｋ１を挿通させた配線ケーブルＨを、配線挿通空間Ｋ１から移動させて、配線挿通空間Ｋ１に連通するように側部固定体５ｂ形成された係合部５ｂｋに係合させることができるため、配線ケーブルＨを係合部５ｂｋに容易な作業で係合させることができる。
また、配線挿通空間Ｋ１に挿通された配線ケーブルＨが障害物等に接触して引っ張られた際には、配線ケーブルＨに接続された電子機器Ｄが落下防止バー５ｄ側に移動し、落下防止バー５ｄにより電子機器Ｄの落下が抑制される。
【００６５】
また、側部固定体５ｂには天板５ａの平面視における内側から外側に向かって貫通する貫通部５ｂａが形成され、貫通部５ｂａの配線挿通空間Ｋ１側には側部固定体５ｂから貫通部５ｂａを閉塞する向きに延びる抜け止め壁部５ｂ３が設けられている。よって、貫通部５ｂａに配線ケーブルＨを挿通させると、抜け止め壁部５ｂ３で配線ケーブルＨの移動が規制されるため、配線ケーブルＨは係合部５ｂｋに確実に係合される。
【００６６】
（変形例１）
次に、上記に示す実施形態の変形例１について、主に図６を用いて説明する。
なお、以下の変形例において、前述した実施形態で用いた部材と同一の部材には同一の符号を付して、その説明を省略する。
図６は、本発明の一実施形態の変形例１に係るカート装置の係合部の拡大斜視図である。
図６に示すように、本変形例において、側部固定体５ｂｘは、落下防止バー５ｄの端部を支持する端部支持部材５ｂ１０と、落下防止バー５ｄに対してスライド可能とされたスライド部材５ｂ２０とを備えている。
【００６７】
端部支持部材５ｂ１０は、立設壁部５ｂ１１と、前延出壁部５ｂ１２と、バー支持部５ｂ１３と、傾斜壁部５ｂ１４とを有している。
【００６８】
立設壁部５ｂ１１は、天板５ａの上面５Ｔに立ち上がるように固定されている。前延出壁部５ｂ１２は、立設壁部５ｂ１１の下部から天板５ａの上面５Ｔに沿って、前方に延びている。バー支持部５ｂ１３は、立設壁部５ｂ１１の上端部から前方に延びている。バー支持部５ｂ１３の前部には、前後方向に延びる不図示の穴が形成されている。この穴には、落下防止バー５ｄの先端部が挿通され、固定されている。傾斜壁部５ｂ１４は、立設壁部５ｂ１１の上部から下方に向かうにしたがって次第に後方に向かうように形成されている。前延出壁部５ｂ１２の上面において、前部には、下方に凹む凹部５ｂ１５が形成されている。
【００６９】
スライド部材５ｂ２０は、挿通部５ｂ２１と、係合バー５ｂ２２とを有している。
【００７０】
挿通部５ｂ２１は、落下防止バー５ｄの外周に沿って配置されている。挿通部５ｂ２１には、前後方向に延びる貫通孔５ｂ２３が形成されている。貫通孔５ｂ２３には、落下防止バー５ｄが挿通されている。挿通部５ｂ２１は、落下防止バー５ｄに対して摺動及び回転可能とされている。
【００７１】
係合バー５ｂ２２は、挿通部５ｂ２１から落下防止バー５ｄの径方向外側に延びるように設けられている。
【００７２】
図６に実線で示すように、係合バー５ｂ２２の端部が端部支持部材５ｂ１０の凹部５ｂ１５に嵌め込まれた状態で、端部支持部材５ｂ１０の前延出壁部５ｂ１２と、立設壁部５ｂ１１と、バー支持部５ｂ１３と、スライド部材５ｂ２０の挿通部５ｂ２１と、係合バー５ｂ２２とにより、上側、前側、下側及び後側にわたって閉塞した空間部であり、配線ケーブルＨを係合可能な係合部５ｂｋ１が形成される。
【００７３】
このような側部固定体５ｂｘにおいて、スライド部材５ｂ２０が、端部支持部材５ｂ１０に対して前方に離間した位置に配置された状態（図６に示す二点鎖線参照）から、係合部５ｂｋ１に配線ケーブルＨを係合させるには、端部支持部材５ｂ１０の前方且つスライド部材５ｂ２０の後方に配線ケーブルＨを配置する。この状態で、スライド部材５ｂ２０を、配線ケーブルＨとともに後方に移動させる。そして、スライド部材５ｂ２０の係合バー５ｂ２２を、端部支持部材５ｂ１０の前延出壁部５ｂ１２の前端部を乗り越えさせ、係合バー５ｂ２２の端部を凹部５ｂ１５に嵌め込む。すると、スライド部材５ｂ２０の移動が規制され、係合部５ｂｋ１が形成され、係合部５ｂｋ１内に配線ケーブルＨが挿通される。
【００７４】
一方、スライド部材５ｂ２０を前方に引っ張ると、係合バー５ｂ２２の端部と凹部５ｂ１５との係合が解除され、スライド部材５ｂ２０は落下防止バー５ｄに対して摺動可能な状態に戻る。
【００７５】
上記の係合部５ｂｋ１では、係合部５ｂｋ１は、上側、前側、下側及び後側にわたって閉塞した空間部であり、係合バー５ｂ２２の端部が端部支持部材５ｂ１０の凹部５ｂ１５に嵌め込まれることで形成される。よって、係合部５ｂｋ１により、配線ケーブルＨの移動を規制した状態を確実に維持することができる。
【００７６】
（変形例２）
次に、上記に示す実施形態の変形例２について、主に図７を用いて説明する。
図７は、本発明の一実施形態の変形例２に係るカート装置の係合部の拡大斜視図である。
図７に示すように、本変形例において、側部固定体５ｂｙは、落下防止バー５ｄの端部を支持する端部支持部材５ｂ３０と、落下防止バー５ｄに対してスライド可能とされたスライド部材５ｂ４０とを備えている。
【００７７】
端部支持部材５ｂ３０は、立設壁部５ｂ１１と、バー支持部５ｂ１３と、傾斜壁部５ｂ１４とを有している。スライド部材５ｂ４０は、挿通部５ｂ２１と、係合バー５ｂ２２と、係合バー５ｂ２２の下端部から後方に延びる後延出壁部５ｂ２４とを有している。
【００７８】
図６に実線で示すように、スライド部材５ｂ４０の後延出壁部５ｂ２４の後端部が端部支持部材５ｂ３０の立設壁部５ｂ１１の前部に当接した状態で、端部支持部材５ｂ１０の立設壁部５ｂ１１と、バー支持部５ｂ１３と、スライド部材５ｂ２０の挿通部５ｂ２１と、係合バー５ｂ２２と、後延出壁部５ｂ２４により、上側、前側、下側及び後側にわたって閉塞した空間部であり、配線ケーブルＨを係合可能な係合部５ｂｋ２が形成される。
【００７９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００８０】
例えば、上記に示す実施形態において、係合部は、落下防止部を支持する支持部に設けられているが本発明はこれに限られず、係合部を支持部とは別に設けてもよい。
【００８１】
また、上記に示す実施形態において、係合部５ｂｋは、前方且つ上方に向かって開口しているが、本発明はこれに限られない。係合部は、支持部の配線挿通空間側に形成されることが好ましいが、形成される側は適宜設定可能である。
【００８２】
また、上記実施形態においては、トレイ２の奥行方向の両側で高さの異なる周壁部２ｂを備える構成について説明した。しかしながら、本発明はこれに限定されるものではなく、例えば周壁部２ｂの高さがトレイ２の奥行方向の両側で同じとされた構成や、周壁部２ｂに換えて落下防止バー等を設置する構成を採用することも可能である。
【００８３】
また、上記実施形態においては、平面視におけるトレイ２の形状が略矩形である構成について説明した。しかしながら、本発明はこれに限定されるものではなく、例えば、トレイ２の平面視における形状を、支持基体３ｂを三方から囲む略コの字状とすることも可能である。
【符号の説明】
【００８４】
１…カート装置
２…トレイ
３…カート本体
３ａ…脚部（ベース部）
３ｂ…支持基体（支持体）
４…トレイ支持機構
５…天板ユニット
５ａ…天板
５ｂ…側部固定体（支持部）
５ｂ３…抜け止め壁部（抜け止め部）
５ｂａ…貫通部
５ｂｋ…係合部
５ｄ…落下防止バー（落下防止部）
Ｄ…電子機器
Ｈ…配線ケーブル（配線）
Ｋ１…配線挿通空間
Ｋ２…什器配置空間
【図１】
2017012622.tif 000003
【図２】
2017012622.tif 000004
【図３】
2017012622.tif 000005
【図４】
2017012622.tif 000006
【図５】
2017012622.tif 000007
【図６】
2017012622.tif 000008
【図７】
2017012622.tif 000009